(57)【要約】【課題】周囲音の情報を適切にユーザに提供することができる電子機器を実現すること。【解決手段】電子機器（１０）の制御部（１００）は、少なくとも１つのマイクから取得した周囲音から、予め決められたトリガ音を含む対象音を検出する検出処理と、対象音を示す対象音情報を記憶部（１１０）に記憶する記憶処理と、対象音情報をユーザに提示する提示処理と、を実行する。【選択図】図１
2020086019.tif 000002
【特許請求の範囲】
【請求項１】
少なくとも１つの記憶部と少なくとも１つの制御部とを備える電子機器であって、
上記制御部は、
少なくとも１つのマイクから取得した周囲音から、予め決められたトリガ音を含む対象音を検出する検出処理と、
上記対象音を示す対象音情報を上記記憶部に記憶する記憶処理と、
上記記憶部に記憶した上記対象音情報をユーザに提示する提示処理と、
を実行する、電子機器。
【請求項２】
上記制御部は、
上記記憶処理では、上記対象音を示すテキストデータを上記記憶部に記憶し、
上記提示処理では、上記テキストデータを少なくとも１つの表示部に表示する、請求項１に記載の電子機器。
【請求項３】
上記制御部は、
上記記憶処理では、上記対象音を示す音声データを上記記憶部に記憶し、
上記提示処理では、上記音声データを再生する、請求項１に記載の電子機器。
【請求項４】
上記制御部は、位置情報および時間情報のうち少なくとも一方が予め決められた条件を満たすときに、上記検出処理を実行する、請求項１〜３のいずれか１項に記載の電子機器。
【請求項５】
上記制御部は、
上記記憶処理では、上記対象音情報に関連付けて、上記対象音を検出したときに取得した位置情報および時間情報のうち少なくとも一方を示す付加情報を上記記憶部に記憶し、
上記提示処理では、上記対象音情報とともに、上記付加情報を提示する、請求項１〜４のいずれか１項に記載の電子機器。
【請求項６】
記憶部と制御部とを備える電子機器を制御する制御装置であって、
マイクから取得した周囲音から、予め決められたトリガ音を含む対象音を検出する検出処理と、
上記対象音を示す対象音情報を上記記憶部に記憶する記憶処理と、
上記記憶部に記憶した上記対象音情報をユーザに提示する提示処理と、
を実行する、制御装置。
【請求項７】
電子機器としてコンピュータを機能させるためのプログラムであって、
上記電子機器は、少なくとも１つの記憶部と少なくとも１つの制御部とを備え、
上記制御部は、
少なくとも１つのマイクから取得した周囲音から、予め決められたトリガ音を含む対象音を検出する検出処理と、
上記対象音を示す対象音情報を上記記憶部に記憶する記憶処理と、
上記記憶部に記憶した上記対象音情報をユーザに提示する提示処理と、
を実行し、
前記制御部としてコンピュータを機能させるためのプログラム。
【発明の詳細な説明】
【技術分野】
【０００１】
本発明は電子機器およびその利用に関する。
【背景技術】
【０００２】
ヘッドフォンまたはイヤホンを装着するユーザは、外界の音から孤立する。詳細には、ユーザの周囲の周囲音は、耳を塞ぐヘッドフォンまたはイヤホン筐体によって著しく減衰され、さらに、ヘッドフォンまたはイヤホンから再生される音楽等によってさらに減衰される。しかしながら、ユーザは、周囲音に含まれる情報に関心があったり、周囲音に含まれる情報を必要としていたりする場合があるため、周囲音が聞こえないことは好ましくない。
【０００３】
この問題に対して、特許文献１には、受信した周囲音が所望の音トリガと一致すると、音声データの再生中に受信した周囲音を再生するか、受信した周囲音と再生されている音声とを混合した音声データを再生することで、ユーザに音トリガを受信したことを通知する技術が開示されている。
【先行技術文献】
【特許文献】
【０００４】
【特許文献１】特開２０１６−１０１５１号公報（２０１５年１月１８日公開）
【発明の概要】
【発明が解決しようとする課題】
【０００５】
しかしながら、上述のような従来技術では、周囲音に含まれる情報を後から確認することができないという問題がある。ユーザには、例えば、電車内でアナウンスされる乗り換え情報について、アナウンスが流れた時点ではなく、その後の乗り換え時に確認したいという要望もある。
【０００６】
本発明の一態様は、上記課題に鑑みてなされたものであり、周囲音の情報を適切にユーザに提供することができる電子機器を実現することを主たる目的とする。
【課題を解決するための手段】
【０００７】
上記の課題を解決するために、本発明の一態様に係る電子機器は、少なくとも１つの記憶部と少なくとも１つの制御部とを備える電子機器であって、上記制御部は、少なくとも１つのマイクから取得した周囲音から、予め決められたトリガ音を含む対象音を検出する検出処理と、上記対象音の内容を示す対象音情報を上記記憶部に記憶する記憶処理と、上記記憶部に記憶した上記対象音情報をユーザに提示する提示処理と、を実行する、電子機器である。
【発明の効果】
【０００８】
本発明の一態様によれば、周囲音の情報を適切にユーザに提供することができる電子機器を実現することができる。
【図面の簡単な説明】
【０００９】
【図１】本発明の実施形態１に係る電子機器の一例の構成を示すブロック図である。
【図２】本発明の実施形態１に係る外部機器の一例の構成を示すブロック図である。
【図３】本発明の実施形態１に係る電子機器における処理を示すフローチャートである。
【図４】本発明の実施形態１に係る電子機器の表示部の一例を示す図である。
【図５】本発明の実施形態２に係る電子機器の一例の構成を示すブロック図である。
【図６】本発明の実施形態２に係る電子機器における処理を示すフローチャートである。
【図７】本発明の実施形態２に係る電子機器の表示部の一例を示す図である。
【発明を実施するための形態】
【００１０】
〔実施形態１〕
以下、本発明の一実施形態について、電車内でのアナウンスを対象音として記録する例として説明する。電車内でのアナウンスは、例えば、乗り換えの情報や遅延情報、周囲のイベント情報等、乗客が必要とする情報を含んでいることが多い。しかし、乗客は得てして他のことに夢中になって、アナウンスを聞き逃してしまうことが多い。
【００１１】
図１は、本発明の実施形態１に係る電子機器の一例の構成を示すブロック図である。図１に示すように、電子機器１０は、制御部１００と、記憶部１１０と、表示部１２０と、入力部１３０と、ネットワーク通信部１７０とを備えている。本発明の実施形態１に係る電子機器１０は、例えばスピーカー等を有する、音声を出力する外部機器と無線通信により接続し、音声を再生することができる。以下、本実施形態に係る電子機器１０は、図２に示した音声を出力する外部機器２０と無線通信により接続しているものとするが、電子機器１０と外部機器２０とは有線接続されていてもよいし、一体化していてもよい。
【００１２】
１．電子機器の構成
［制御部］
電子機器１０における制御部１００は、電子機器１０全体を制御する。本実施形態における制御部１００は、データ制御部１０２と、外部機器２０との間における通信を制御するネットワーク制御部１０１と、音声の出力を制御する音声出力制御部１０３とを備えている。図１では、制御部は１つのみであるが、２つ以上の制御部を設ける構成としてもよい。
【００１３】
（データ制御部）
データ制御部１０２は、電子機器１０全体を制御する部分であり、例えば、ＣＰＵ（Central Processing Unit）等である。データ制御部１０２は、入力部１３０が取得した周囲音から記憶部１１０に記憶されたトリガ音を含む対象音を検出する検出処理と、対象音の内容を示す対象音情報を記憶部１１０に記憶する記憶処理と、記憶部１１０に記憶した対象音情報をユーザに提示する提示処理とを実行する。
【００１４】
（音声出力制御部）
音声出力制御部１０３は、音声の出力を制御する。より具体的には、音声を再生（出力）および停止させたり、音量を調整させたりし、外部機器における音声の出力を制御する。
【００１５】
また、記憶処理において記憶した情報が音声データの場合、音声出力制御部１０３は、提示処理の際に、音声データを再生（出力）する。
【００１６】
（ネットワーク制御部）
ネットワーク制御部１０１は、電子機器１０と音を出力する外部機器２０との通信を制御する。電子機器１０と外部機器２０との間における通信は、特に限定されることなく、Bluetooth（登録商標、以下同様）、ＷｉＦｉ（登録商標、以下同様）、移動体通信網等による通信であってもよいし、他の通信であってもよい。
【００１７】
［記憶部］
電子機器１０における記憶部１１０は、各種情報を記憶する。本実施形態における記憶部１１０は、後述する「トリガ音情報」を予め記憶しているトリガ音情報記憶部１１１と、周囲音から検出したトリガ音情報を含む周囲音（以下「対象音」）の少なくとも一部を記憶する周囲音情報記憶部１１５を備えている。図１では、記憶部は１つのみであるが、２つ以上の記憶部を設ける構成としてもよい。
【００１８】
（トリガ音情報記憶部）
トリガ音情報記憶部１１１は、トリガ音情報を予め記憶している。トリガ音情報記憶部１１１は、例えば、ＨＤＤ（Hard Disk Drive）、ＳＳＤ（Solid State Drive）等である。本明細書において「トリガ音情報」とは、トリガ音を含む情報のことを指す。トリガ音とは、制御部１００における検出処理の契機となる音のことを指し、例えば、ブザー音、ベル音、電子音、楽器等の音、ある特定の人の音声、ある特定の単語を含む音声、ある特定の旋律を含む音声、ドアをノックする音、車両のエンジン音、足音、またはこれらの組合せ等で有り得るが、これに限らない。トリガ音情報は、音声データ形式であってもよいが、ある特定の単語を含む場合には、テキストデータ形式であってもよい。
【００１９】
（周囲音情報記憶部）
周囲音情報記憶部１１５は、周囲音から検出した対象音の内容を示す対象音情報を記憶する。周囲音情報記憶部１１５は、トリガ音情報記憶部１１１と同様、例えば、ＨＤＤ（Hard Disk Drive）、ＳＳＤ（Solid State Drive）等である。
【００２０】
対象音情報は、音声データ形式であってもよいし、テキストデータであってもよく、音声データ形式とテキストデータ形式との両方であってもよい。
【００２１】
［表示部、入力部、ネットワーク通信部］
表示部１２０は、記憶した対象音情報を確認するための指示を行う画面を表示する、例えば、ディスプレイ等である。表示部１２０は、対象音情報がテキストデータを含む場合には、テキストデータを表示する。
【００２２】
入力部１３０は、例えばマイクロホン等によって構成され、周囲音を取得する。電子機器１０における入力部１３０は、外部機器２０が入力部を備える場合には、外部機器２０の入力部２３０によって代替することができる。入力部１３０によって取得された周囲音は、データ制御部１０２に供給される。
【００２３】
ネットワーク通信部１７０は、アンテナを含み、ネットワーク制御部１０１の制御を受けて、外部機器２０と通信する。
【００２４】
２．外部機器
本実施形態に係る電子機器１０に接続することができる外部機器２０の一例について、図２を用いて説明する。図２は、本発明の実施形態１に係る外部機器の一例の構成を示すブロック図である。
【００２５】
図２に示すように、外部機器２０は制御部２００と、入力部２３０と、出力部２４０と、ネットワーク通信部２７０とを備えている。
【００２６】
外部機器２０は、例えばヘッドフォン等であり、電子機器１０から電子機器１０のネットワーク通信部１７０より受信した信号に従って音声を出力する。
【００２７】
［制御部］
外部機器２０における制御部２００は、電子機器１０との間における通信を制御するネットワーク制御部２０１と、音声の入出力を制御する入出力制御部２０４とを備えている。図２では、制御部は１つのみであるが、２つ以上の制御部を設ける構成としてもよい。
【００２８】
（ネットワーク制御部）
ネットワーク制御部２０１は、電子機器１０におけるネットワーク制御部１０１と同様、電子機器１０との通信を制御する。電子機器１０と外部機器２０との間における通信は、特に限定されることなく、Bluetooth（登録商標）、ＷｉＦｉ（登録商標）、その他の近距離無線通信技術による通信であってもよいし、他の通信であってもよい。
【００２９】
（入出力制御部）
入出力制御部２０４は、入力部２３０における音声の入力、および、出力部２４０における出力を制御する。例えば、入出力制御部２０４は、電子機器１０から電子機器１０のネットワーク通信部１７０より受信した信号に従って、音声を出力する。
【００３０】
［入力部、出力部、ネットワーク通信部］
入力部２３０は、例えばマイクロホン等によって構成され、周囲音を取得する。電子機器１０が入力部１３０を備える場合には、外部機器２０は、必ずしも入力部２３０を備えていなくてもよい。入力部２３０によって取得された周囲音は、ネットワーク通信部２７０を介して電子機器１０におけるデータ制御部１０２に供給される。
【００３１】
出力部２４０は、音声を出力する、例えばスピーカー等である。出力部２４０は、周囲音情報記憶部１１５に記憶された、対象音情報に音声データが含まれる場合に、その音声データを出力する。
【００３２】
ネットワーク通信部２７０は、電子機器１０におけるネットワーク通信部１７０と同様に、アンテナを含み、ネットワーク制御部２０１の制御を受けて、電子機器１０と通信する。
【００３３】
３．電子機器の動作
本実施形態に係る電子機器１０の動作の一例について、図３を用いて説明する。図３は、本発明の実施形態１に係る電子機器における処理を示すフローチャートである。
【００３４】
まず、電子機器１０の制御部１００は、入力部１３０または２３０を介して周囲音を取得する（ステップ１０１）。
【００３５】
次に、電子機器１０の制御部１００は、トリガ音情報記憶部１１１に記憶されたトリガ音情報を参照して、取得した周囲音から対象音を検出する（ステップ１０３）。
【００３６】
ここで、検出される対象音は音声データの形式であってもよいし、テキストデータの形式であってもよい。一態様において、制御部１００は、周囲音の音声データを解析して、トリガ音情報が示す音声を含む対象音の音声データを検出してもよい。また、他の態様において、制御部１００は、周囲音の音声データを、公知の音声認識技術を用いてテキストデータに変換し、得られたテキストデータから、トリガ音情報が示すテキストを含む対象音のテキストデータを検出してもよい。
【００３７】
また、対象音は、トリガ音を含んでいても、含んでいなくてもよい。また、対象音は、トリガ音の前または後の周囲音であってもよい。また、対象音は、一まとまりの音声に対応することが好ましい。例えば、対象音は、トリガ音が検出された後、周囲音の音声レベルが閾値以下になるまでの期間に対応する周囲音であってもよいし、トリガ音が検出された後、所定の長さの期間に対応する周囲音であってもよいし、制御部１００が周囲音のテキストデータを解析して、トリガ音が検出された後、意味のある一まとまりの文章として検出されたテキストデータであってもよい。
【００３８】
本実施形態においては、所望の周囲音の例として、電車内での案内情報を含むアナウンスを挙げているが、電車内の案内の冒頭には特定の音楽が流れる場合がある。このような場合、特定の音楽をトリガ音情報に指定しておくことによって、入力部１３０は、必要な案内の始まるタイミングを取得しやすくなる。
【００３９】
ステップ１０３において対象音が検出されなかった場合（ステップ１０５におけるＮＯ）、制御部１００は、ステップ１０１に戻って処理を繰り返す。一方、ステップ１０３において対象音が検出された場合（ステップ１０５におけるＹＥＳ）、制御部１００は検出された対象音の音声データもしくはテキストデータ（検出された対象音の音声データをテキストデータに変換したものを含む）またはその両方を「対象音情報」として周囲音情報記憶部１１５に記憶する（ステップ１０７）。
【００４０】
その後、電子機器１０の制御部１００は、ユーザからの指示に応じて、ステップ１０７で記憶した対象音情報をユーザに提示する（ステップ１０９）。
【００４１】
ステップ１０９について、音声データ形式である対象音情報は、外部機器２０の出力部２４０を介して音声データとして提示されることが好ましい。より具体的に言えば、外部機器２０は、入力部２３０によって取得した対象音情報を、当該外部機器２０が備える出力部２４０から出力する構成とすることが好ましい。
【００４２】
一方、テキストデータ形式である対象音情報は、図４に示したように、電子機器１０における表示部１２０を介してテキストデータとして提示されることが好ましい。より具体的に言えば、電子機器１０は、周囲音情報記憶部１１５に記憶されている対象音情報を、当該電子機器１０が備える表示部１２０に表示する構成とすることが好ましい。図４は、本発明の実施形態１に係る電子機器の表示部の一例を示す図である。図４では、電子機器１０の画面にテキストデータ形式の対象音情報１１が表示されている。
【００４３】
ユーザによる指示としては、例えば、表示部１２０での画面選択による指示、電子機器１０に別途備えられたボタンの押下による指示、および音声による指示等が挙げられるが、これに限らない。
【００４４】
以上で本実施形態に係る電子機器１０の処理は終了する。
【００４５】
以上の処理により、電子機器１０は所望の周囲音を記憶することができ、ユーザは後に、記憶されている情報を、テキストデータまたは音声データのうちの少なくとも一方として確認する構成とすることができる。
【００４６】
４．ユーザへの情報の提示
先に述べたとおり、制御部１００は、ユーザからの指示に応じて、記憶した対象音情報をユーザに提示する。その際、制御部１００は、対象音情報を精査または編集して提示することができる。
【００４７】
精査に関しては、例えば、新たに記憶した対象音情報にいつもと異なる情報が含まれる場合、いつもと異なる情報を検出することができる。より具体的には、新たに対象音情報を記憶した際、制御部１００は、すでに記憶している対象音情報を参照し、新たに記憶した対象音情報が、いつもの情報とは異なる情報またはいつもの情報に追加された情報（以下「異変情報」）を含む場合に、該異変情報を検出することができる。
【００４８】
異変情報の例としては、通勤または通学等でよく使う電車内において流れる「電車遅延により３番線ホームで乗り換えとなります」、「本日は○○イベントのため、お帰り時に混雑する可能性があります」等のアナウンスが挙げられる。
【００４９】
制御部１００が異変情報を検出した場合、制御部１００は、対象音情報を提示するにあたって、異変情報を強調して提示したり、異変情報のみを提示したりすることができる。
【００５０】
編集に関しては、ユーザに提示する対象音情報は、記憶した情報の内容が含まれていれば、その表現方法は特に限られない。電車内のアナウンスによる案内情報を例に挙げれば、必ずしも一字一句をアナウンスと同じように提示する必要はない。
【００５１】
例えば、先に述べた異変情報を音声データとして提示する場合、「今日は乗り換えホームが３番になっているようですよ」「今日の帰りは○○イベントで混むかもしれないみたいですよ」のように、ＡＩキャラクターの発言として提示することができる。この際、ＡＩキャラクターが異変情報を強調するために、「気を付けてくださいね」と付け加える形態としてもよい。
【００５２】
〔実施形態２〕
本発明の他の実施形態について、以下に説明する。実施例１と同様に、電車内のアナウンス音を対象音とする場合を例として説明するが、一例であって、電車内で使用する場合に限定するわけではない。なお、説明の便宜上、上記実施形態にて説明した部材と同じ機能を有する部材については、同じ符号を付記し、その説明を繰り返さない。本実施形態は、以下の２つの構成において、実施形態１と異なっている。なお、両方の構成を採用する必要はなく、一方のみの構成を採用してもよい。
・制御部１００は、日時および位置の少なくとも一方が、予め設定された条件を満たした場合にのみ、周囲音から対象音を検出する。
・制御部１００は、対象音を検出したときの日時および位置の少なくとも一方を示す情報（付加情報）を対象音情報と併せてユーザに提示する。
【００５３】
１．電子機器の構成
本実施形態について、図５を用いて説明すれば以下の通りである。図５は、本発明の実施形態２に係る電子機器の一例の構成を示すブロック図である。図２に示すように、電子機器３０は、図１に示した電子機器１０と同様の構成をしているが、記憶部１１０にさらに時間情報記憶部３１２および位置情報記憶部３１３を備え、加えて位置情報等センサ部３５０を備えている。
【００５４】
［記憶部］
本実施形態に係る電子機器３０は、記憶部１１０に時間情報記憶部３１２および位置情報記憶部３１３を備えている。
【００５５】
時間情報記憶部３１２は、トリガとなる日時を予め記憶している。電車内では、各停車駅の到着前および出発後にアナウンスが流れる場合が多い。そのため、トリガとなる日時の例としては、電車の時刻表に基づいた、乗車している電車が駅に到着または駅を出発する予定時刻が挙げられる。
【００５６】
位置情報記憶部３１３は、トリガとなる位置を予め記憶している。電車内では、各停車駅の付近でアナウンスが流れる場合が多い。そのため、トリガとなる位置の例としては、各停車駅の周辺の位置が挙げられる。
【００５７】
また、時間情報記憶部３１２および位置情報記憶部３１３は、位置情報等センサ部３５０によって取得した位置情報等をそれぞれ記憶する。
【００５８】
時間情報記憶部３１２および位置情報記憶部３１３は、トリガ音情報記憶部１１１等と同様、例えば、ＨＤＤ（Hard Disk Drive）、ＳＳＤ（Solid State Drive）等である。
【００５９】
［位置情報等センサ部］
位置情報等センサ部３５０は、位置情報または時間情報等を取得する。位置情報は、例えばＧＰＳ（Global Positioning System）衛星からＧＰＳ情報を受信することで取得する構成とすることができる。時間情報は、例えば時計等から取得する構成とすることができる。
【００６０】
２．外部機器
本実施形態に係る電子機器３０に対応する外部機器としては、実施形態１で述べた外部機器２０を適用する構成としてもよい。
【００６１】
３．電子機器の動作
本実施形態に係る電子機器３０の動作の一例について、図６を用いて説明する。図６は、本発明の実施形態２に係る電子機器における処理を示すフローチャートである。
【００６２】
まず、電子機器３０の制御部１００は、位置情報等センサ部３５０を介して、位置情報または時間情報のうち少なくとも一方（以下、「付加情報」ということがある）を取得する（ステップ２０１）。
【００６３】
次に、電子機器３０の制御部１００は、時間情報記憶部３１２に記憶されたトリガとなる日時または位置情報記憶部３１３に記憶されたトリガとなる地点を参照し、取得した付加情報が予め決められた条件を満たすか、すなわちトリガとなるかどうかを判断する（ステップ２０３）。
【００６４】
取得した付加情報が、予め決められた条件を満たさない場合、電子機器３０の制御部１００は、ステップ２０１に戻って処理を繰り返す。取得した付加情報が、予め決められた条件を満たす場合、制御部１００は、入力部１３０または２３０のマイク等を介して周囲音を取得する（ステップ２０５）。
【００６５】
続いて、トリガ音情報記憶部１１１に記憶されたトリガ音情報を参照して、取得した周囲音から対象音を検出する（ステップ２０７）。
【００６６】
ステップ２０７において対象音が検出されなかった場合（ステップ２０９におけるＮＯ）、制御部１００は、ステップ２０１に戻って処理を繰り返す。一方、ステップ２０７において対象音が検出された場合（ステップ２０９におけるＹＥＳ）、制御部１００は検出された対象音の音声データもしくはテキストデータ（検出された対象音の音声データをテキストデータに変換したものを含む）またはその両方を「対象音情報」として周囲音情報記憶部１１５に記憶する（ステップ２１１）
ステップ２１１の際、制御部１００は、ステップ２０３において取得した付加情報を、時間情報記憶部３１２または位置情報記憶部３１３に記憶することが好ましい。記憶する付加情報は、対象音情報と紐付けされていることが好ましい。
【００６７】
その後、電子機器３０の制御部１００は、ユーザからの指示に応じて、ステップ２１１で記憶した対象音情報をユーザに提示する（ステップ２１３）。
【００６８】
以上で本実施形態に係る電子機器３０の処理は終了する。なお、各情報のデータの形式は、実施形態１で述べたように音声データ形式であってもテキストデータ形式であっても、両方の形式であってもよいし、必要に応じてデータの形式を変換してもよい。
【００６９】
電子機器３０における処理に、ステップ２０１および２０３が含まれていることにより、音声トリガを含む対象音を検出するときの検出率を高める（誤検出を抑制する）ことができる。また、周囲音の取得が必要ない場所または時間において周囲音の検出を減らすことができるため、電力を削減することができる。
【００７０】
４．ユーザへの情報の提示
上述のステップ２１３について詳述する。ステップ２１３において、対象音情報がテキストデータ形式である場合、図７に示したように、電子機器３０における表示部１２０を介してテキストデータとして提示されることが好ましい。図７は、本発明の実施形態１に係る電子機器の表示部の一例を示す図である。図７では、電子機器３０の表示部１２０に、対象音情報として、位置情報３１および対象音情報１１が表示されている。
【００７１】
図７に示すように、ユーザに提示される対象音情報１１は、位置情報３１と共に表示されていることが好ましい。また、対象音情報１１は、位置情報ごとにまとめられて表示されることがより好ましい。これにより、対象音情報１１をユーザに分かりやすく提示することができる。また、後に、記憶した対象音情報を、位置を指定して検索することができる。
【００７２】
また、図７では、ユーザに提示される対象音情報１１は、位置情報３１と共に表示されているが、時間情報と共に表示されていてもよい（図示せず）。この場合、対象音情報１１は、時間情報ごとにまとめられていてもよい。これにより、同じ位置で記憶した対象音情報をユーザに分かりやすく提示することができる。これに加え、後に、記憶した対象音情報を、日時を指定して検索することができる。
【００７３】
さらに、ユーザに提示される対象音情報１１は、位置情報および時間情報の両方と共に表示されていてもよい。この場合、ユーザが、情報のまとめ方を位置情報ごととするか、時間情報ごととするか指定できることがより好ましい。これにより、対象音情報をユーザにより分かりやすく提示することができる。
【００７４】
〔実施形態３〕
本発明のさらに他の実施形態について、以下に説明する。本実施形態においては、学校での講義を例として説明するが、一例であって、講義中に使用する場合に限定するわけではない。
【００７５】
本実施形態において、所望の周囲音は講義中の重要な情報である。講義の話し手は、重要な情報を述べる際に、「ここは大事」「まとめると」「もう一度言います」「ここは試験に出る」等と云う場合がある。そのため、これらの特定の単語をトリガ音情報として指定しておき、そのトリガ音の前後の周囲音を記録することによって、記憶部１１０は、長い音声のうち、ユーザが必要とする情報を記憶することができる。
【００７６】
本実施形態における制御部１００は、実施例１と同様に対象音情報を精査または編集してユーザに提示することができる。編集としては、例えば、後にユーザが講義の概要を短時間で復習できるよう、対象音情報を自然言語処理等でさらに要約する形態が挙げられる。
【００７７】
本発明は、学校での講義に限らず、会社またはセミナーでのプレゼンテーション等、長い音声を長時間聴くような場合に好適に用いることができる。また、先に述べた特定の単語は、様々なシチュエーションにおいて、重要な情報を述べる際に用いられる。そのため上述の単語をあらかじめトリガ音情報としてトリガ音情報記憶部１１１に保持しておき、ユーザがシチュエーションに応じて選択して使用することも可能である。
【００７８】
〔ソフトウェアによる実現例〕
電子機器１０および３０の制御部１００（特にデータ制御部１０２）は、制御装置として用いることができる。また、この制御装置は集積回路（ＩＣチップ）等に形成された論理回路（ハードウェア）によって実現してもよいし、ソフトウェアによって実現してもよい。
【００７９】
後者の場合、制御装置は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路等を用いることができる。また、上記プログラムを展開するＲＡＭ（Random Access Memory）等をさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００８０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【００８１】
〔まとめ〕
本発明の態様１に係る電子機器は、少なくとも１つの記憶部と少なくとも１つの制御部とを備える電子機器であって、上記制御部は、少なくとも１つのマイクから取得した周囲音から、予め決められたトリガ音を含む対象音を検出する検出処理と、上記対象音を示す対象音情報を上記記憶部に記憶する記憶処理と、上記記憶部に記憶した上記対象音情報をユーザに提示する提示処理と、を実行する、電子機器である。
【００８２】
上記の構成によれば、電子機器は、周囲音の情報を適切にユーザに提供することができる。より具体的には、電子機器は所望の周囲音を記憶することができ、ユーザは後に、記憶されている情報を確認することができる。
【００８３】
本発明の態様２に係る電子機器は、上記態様１において、上記制御部が、上記記憶処理では、上記対象音を示すテキストデータを上記記憶部に記憶し、上記提示処理では、上記テキストデータを少なくとも１つの表示部に表示する電子機器であってもよい。上記の構成によれば、ユーザは後に、記憶されている情報をテキストデータとして核にすることができる。
【００８４】
本発明の態様３に係る電子機器は、上記態様１において、上記制御部が、上記記憶処理では、上記対象音を示す音声データを上記記憶部に記憶し、上記提示処理では、上記音声データを再生する電子機器であってもよい。
【００８５】
上記の構成によれば、ユーザは後に、記憶されている情報を音声データとして確認することができる。
【００８６】
本発明の態様４に係る電子機器は、上記態様１〜３のいずれかにおいて、上記制御部が、位置情報および時間情報のうち少なくとも一方が予め決められた条件を満たすときに、上記検出処理を実行する電子機器であってもよい。
【００８７】
上記の構成によれば、音声トリガを含む対象音を検出するときの検出率を高める（誤検出を抑制する）ことができる。また、周囲音の取得が必要ない場所または時間において周囲音の検出を減らすことができるため、電力を削減することができる。
【００８８】
本発明の態様５に係る電子機器は、上記態様１〜４のいずれかにおいて、上記制御部が、上記記憶処理では、上記対象音情報に関連付けて、上記対象音を検出したときに取得した位置情報および時間情報のうち少なくとも一方を示す付加情報を上記記憶部に記憶し、上記提示処理では、上記対象音情報とともに、上記付加情報を提示する電子機器であってもよい。
【００８９】
上記の構成によれば、これにより、対象音情報をユーザに分かりやすく提示することができる。また、後に、記憶した対象音情報を、位置または日時を指定して検索することができる。
【００９０】
本発明の態様６に係る制御装置は、上記記憶部と制御部とを備える電子機器を制御する制御装置であって、マイクから取得した周囲音から、予め決められたトリガ音を含む対象音を検出する検出処理と、上記対象音を示す対象音情報を上記記憶部に記憶する記憶処理と、上記記憶部に記憶した上記対象音情報をユーザに提示する提示処理と、を実行する、制御装置である。上記の構成によれば、態様１と同様の効果を奏する。
【００９１】
本発明の態様７に係るプログラムは、電子機器としてコンピュータを機能させるためのプログラムであって、上記電子機器は、少なくとも１つの記憶部と少なくとも１つの制御部とを備え、上記制御部は、少なくとも１つのマイクから取得した周囲音から、予め決められたトリガ音を含む対象音を検出する検出処理と、上記対象音を示す対象音情報を上記記憶部に記憶する記憶処理と、上記記憶部に記憶した上記対象音情報をユーザに提示する提示処理と、を実行し、前記制御部としてコンピュータを機能させるためのプログラムである。上記の構成によれば、態様１と同様の効果を奏する。
【符号の説明】
【００９２】
１０  電子機器
１１  対象音情報
２０  外部機器
３０  電子機器
３１  位置情報
１００  制御部
１０１  ネットワーク制御部
１０２  データ制御部
１０３  音声出力制御部
１１０  記憶部
１１１  トリガ音情報記憶部
１１５  周囲音情報記憶部
１２０  表示部
１３０  入力部
１７０  ネットワーク通信部
２００  制御部
２０４  入出力制御部
２３０  入力部
２４０  出力部
３１２  時間情報記憶部
３１３  位置情報記憶部
３５０  位置情報等センサ部
【図１】
2020086019.tif 000003
【図２】
2020086019.tif 000004
【図３】
2020086019.tif 000005
【図４】
2020086019.tif 000006
【図５】
2020086019.tif 000007
【図６】
2020086019.tif 000008
【図７】
2020086019.tif 000009